(57)【特許請求の範囲】
【請求項１】
首元部からスライダー部が下方に移動することによってファスナー部が開放し衣服の少なくとも上半身前面が左右に分断する衣服において、前記スライダー部を移動可状態から移動不可状態とするロック機構を有し、このスライダー部を有する前記ファスナー部の上限となる上止部を前記衣服の中心部若しくは中心部より左側の前記首元部に設け、前記ファスナー部をこの上止部から左外側に向って傾斜状態に設け、且つこの傾斜を、前記ロック機構を解除した移動可能状態で、前記上止部近傍の前記衣服の右半部を右手で掴み、この衣服の右半部を右方向に引くことで前記スライダー部が下方に移動して前記ファスナー部が開放する傾斜に設定し、前記衣服は、少なくとも上着部とズボン部若しくはスカート部とが一体形成しているつなぎ服若しくはワンピースに形成し、前記腰部の下方に前記ファスナー部の下限となる下止部を設け、前記ファスナー部は、前記衣服の首元部に設けた前記上止部から前記腰部にかけて、前記上止部側のほうが前記ファスナー部の傾斜角度が大きく、下方となる前記腰部側に行くに連れて徐々に傾斜角度が小さくなり、前記腰部から下方となる前記下止部にかけては、前記腰部より上方に設けたファスナー部とは逆に、徐々に傾斜角度が大きくなる前記衣服の左外側に凸となる湾曲形状に設けたことを特徴とするファスナーの開閉により着脱可能となる衣服。
【請求項２】
前記ファスナー部を前記腰部では垂直となる形状に形成した構成としたことを特徴とする請求項１記載のファスナーの開閉により着脱可能となる衣服。
【請求項３】
前記下止部を前記ズボン部若しくはスカート部の左太腿部に設けたことを特徴とする請求項１，２のいずれか１項に記載のファスナーの開閉により着脱可能となる衣服。
【請求項４】
首元部からスライダー部が下方に移動することによってファスナー部が開放し衣服の少なくとも上半身前面が左右に分断する衣服において、前記スライダー部を移動可状態から移動不可状態とするロック機構を有し、このスライダー部を有する前記ファスナー部の上限となる上止部を前記衣服の中心部若しくは中心部より左側の前記首元部に設け、前記ファスナー部をこの上止部から左外側に向って傾斜状態に設け、且つこの傾斜状態は、前記上止部から胸部の傾斜角度が、前記胸部から腹部の傾斜角度より大きく、且つこの胸部から前記腹部にかけては傾斜角度を徐々に小さくし、腰部では垂直となる形状にして、前記ロック機構を解除した移動可能状態で、前記上止部近傍の前記衣服の右半部を右手で掴み、この衣服の右半部を右方向に引くことで前記スライダー部が下方に移動して前記ファスナー部が開放する傾斜状態に設定し、前記ロック機構を前記スライダー部に設けて、このスライダー部を操作しロックを解除するように構成し、このロック機構を解除して前記スライダー部を前記移動可状態にした後に、右方向に引っ張ることで前記スライダー部が下方に移動して前記ファスナー部が開放するタブ部を、前記衣服の右半部の首元部に設けたことを特徴とするファスナーの開閉により着脱可能となる衣服。
【発明の詳細な説明】
【技術分野】
【０００１】
本発明は、スライダー部の移動によりファスナー部が開閉し衣服の左右が分断結合することで着脱が可能となる衣服に関するものである。
【背景技術】
【０００２】
一般的に、ファスナー部を開閉し衣服の左右を分断結合することで着脱可能となる衣服に設けられるファスナー部は、衣服の前面中心部に首元部から下方側に直線的に設けられているものが多い。
【０００３】
このような衣服の場合、ファスナー部を開放するには、例えば、利き腕が右手の人であれば、右手でファスナー部のスライダー部を摘まみ、そのまま下方に移動することでファスナー部を開放することができるが、この際に左手でファスナー部の上止部近傍を掴み、この上止部近傍の衣服が一緒に下がりファスナー部が開き難くならないようにしている。
【０００４】
よって、ファスナー部を設けた衣服を脱衣する際にファスナー部を下方に移動させるには、両手を使う必要がある。
【発明の概要】
【発明が解決しようとする課題】
【０００５】
しかしながら、片手に物を持っていたり、けがをしていたりして片手が使えない場合は、片方の手で衣服の上止部近傍を掴んで下方に下がらないように押さえることができないので、ファスナー部のスライダー部を下方に移動させる動作を行い難い状況となる。
【０００６】
そこで、本発明は、片手だけで容易にスライダー部を下方に移動させ、ファスナー部を開放することができ、衣服を脱衣することが可能となる画期的なファスナーの開閉により着脱可能となる衣服を提供することを目的としている。
【課題を解決するための手段】
【０００７】
添付図面を参照して本発明の要旨を説明する。
【０００８】
首元部１からスライダー部２が下方に移動することによってファスナー部３が開放し衣服４の少なくとも上半身前面が左右に分断する衣服において、前記スライダー部２を移動可状態から移動不可状態とするロック機構を有し、このスライダー部２を有する前記ファスナー部３の上限となる上止部５を前記衣服４の中心部若しくは中心部より左側の前記首元部１に設け、前記ファスナー部３をこの上止部５から左外側に向って傾斜状態に設け、且つこの傾斜を、前記ロック機構を解除した移動可能状態で、前記上止部５近傍の前記衣服４の右半部６を右手で掴み、この衣服４の右半部６を右方向に引くことで前記スライダー部２が下方に移動して前記ファスナー部３が開放する傾斜に設定し、前記衣服４は、少なくとも上着部８とズボン部９若しくはスカート部とが一体形成しているつなぎ服若しくはワンピースに形成し、前記腰部７の下方に前記ファスナー部３の下限となる下止部10を設け、前記ファスナー部３は、前記衣服４の首元部１に設けた前記上止部５から前記腰部７にかけて、前記上止部５側のほうが前記ファスナー部３の傾斜角度が大きく、下方となる前記腰部７側に行くに連れて徐々に傾斜角度が小さくなり、前記腰部７から下方となる前記下止部10にかけては、前記腰部７より上方に設けたファスナー部３とは逆に、徐々に傾斜角度が大きくなる前記衣服４の左外側に凸となる湾曲形状に設けたことを特徴とするファスナーの開閉により着脱可能となる衣服に係るものである。
【０００９】
また、前記ファスナー部３を前記腰部７では垂直となる形状に形成した構成としたことを特徴とする請求項１記載のファスナーの開閉により着脱可能となる衣服に係るものである。
【００１０】
また、前記下止部10を前記ズボン部９若しくはスカート部の左太腿部11に設けたことを特徴とする請求項１，２のいずれか１項に記載のファスナーの開閉により着脱可能となる衣服に係るものである。
【００１１】
また、首元部１からスライダー部２が下方に移動することによってファスナー部３が開放し衣服４の少なくとも上半身前面が左右に分断する衣服において、前記スライダー部２を移動可状態から移動不可状態とするロック機構を有し、このスライダー部２を有する前記ファスナー部３の上限となる上止部５を前記衣服４の中心部若しくは中心部より左側の前記首元部１に設け、前記ファスナー部３をこの上止部５から左外側に向って傾斜状態に設け、且つこの傾斜状態は、前記上止部５から胸部16の傾斜角度が、前記胸部16から腹部17の傾斜角度より大きく、且つこの胸部16から前記腹部17にかけては傾斜角度を徐々に小さくし、腰部７では垂直となる形状にして、前記ロック機構を解除した移動可能状態で、前記上止部５近傍の前記衣服４の右半部６を右手で掴み、この衣服４の右半部６を右方向に引くことで前記スライダー部２が下方に移動して前記ファスナー部３が開放する傾斜状態に設定し、前記ロック機構を前記スライダー部２に設けて、このスライダー部２を操作しロックを解除するように構成し、このロック機構を解除して前記スライダー部２を前記移動可状態にした後に、右方向に引っ張ることで前記スライダー部２が下方に移動して前記ファスナー部３が開放するタブ部18を、前記衣服の右半部６の首元部１に設けたことを特徴とするファスナーの開閉により着脱可能となる衣服に係るものである。
【発明の効果】
【００１２】
本発明は上述のように構成したから、衣服を脱衣する際は、着用者が右手でスライダー部のロック機構を解除し、衣服の首元部に設けた上止部近傍の衣服の右半部を掴みながら右方向に引くだけで、容易にスライダー部が下方に移動し、ファスナー部が開放するので、一々左手で上止部近傍を押さえながらスライダー部を摘まんで下方の脱げる位置まで下げる動作をしなくて済み、例えば、片手に物を持っていたり、けがをしていたりして片手が使えない状況においても、容易にファスナー部を開放して衣服を容易に脱衣すること或いは早く脱衣することができる画期的なファスナーの開閉により着脱可能となる衣服となる。
【００１３】
しかも、本発明は、つなぎ服やワンピースなどの着脱し難い衣服でも、腰部よりも下方にまでファスナー部を設けたので、着脱がし易くなり、しかも、ファスナー部を左外側に凸となる略湾曲形状に設けたので、上止部をより左側に設けても、ファスナー部が衣服の側面や背面にかかることがなく、ファスナー部を閉める動作を行う際にも、ファスナー部が閉め難くなることがないと共に、ファスナー部を開放する際も、スライダー部がスムーズに移動するファスナー部の開閉作業に優れたファスナーの開閉により着脱可能となる衣服となる。
【００１４】
また、更に本発明は、ファスナー部を衣服の左側に設け、更に、このファスナー部を左外側に凸となる略湾曲形状に設けたので、上止部をより左外側に配置することができると共に、このファスナー部全体を衣服の左側前面に収めることができるので、上止部近傍の衣服の右半部を掴んだ右手を右方向に移動する距離を長くすることができ、一度の動作でより広くファスナー部を開放することができ、しかも、スライダー部の移動動作が行い易くなり、より容易に脱衣ができるファスナーの開閉により着脱可能となる衣服となる。
【図面の簡単な説明】
【００１５】
【図１】本実施例を示す正面図である。
【図２】本実施例の使用状態を示す説明正面図である。
【図３】本実施例の使用状態を示す説明正面図である。
【図４】本実施例のファスナー部が開放する状態を示す説明図である。
【図５】本実施例のスライダー部を示す説明図である。
【発明を実施するための形態】
【００１６】
好適と考える本発明の実施形態（発明をどのように実施するか）を、図面に基づいて本発明の作用を示して簡単に説明する。
【００１７】
本発明の衣服４を脱衣する際は、スライダー部２のロックを解除し、右手で上止部５の近傍の右半部６を掴みながら右方向へ引張ることでファスナー部３の右側務歯部12が横倒状態になり、スライダー部２上方の右側務歯部12と左側務歯部13がＹ字状に開くことによって、スライダー部２上方の左右両側務歯部12，13がスライダー部２を下方に押下げるので、スライダー部２が摘まみ移動しなくてもこのスライダー部２を下方に移動し、ファスナー部３の上止部５側が開放状態となり、衣服４を脱衣することができる状態となるので、片手だけでファスナー部３を開放することができ、例えば、片手に物を持っていたり、けがをしていたりしていて、右手しか使えない状況においても容易に衣服４を脱衣することができることとなる。
【００１８】
また、ファスナー部３の開放をスムーズに行うため、スライダー部２が容易に移動する構成としているが、スライダー部２にこのスライダー部２を移動可或いは移動不可状態とするロック機構が具備されているので、ファスナー部３の開閉動作時以外は、このロック機構をロック状態とすることで、ちょっとした動作でスライダー部２が下方に移動してファスナー部３が開放することがなくなることとなる。
【実施例】
【００１９】
本発明の具体的な実施例について図面に基づいて説明する。
【００２０】
本実施例は、例えば、半導体・フラットパネルディスプレイ関連、医療・医薬品関連或いは食品関連などの製造工場内や開発研究所内に設けられた高清浄度の維持が必要なクリーンルームで着用する衣服４としての無塵服４であって、図１に示すように、頭部を覆うフード部14と上着部８とズボン部９とが一体形成されているつなぎ服形状の無塵服４に本発明を適用した実施例である。
【００２１】
また、本実施例は、スライダー部２を移動可状態と移動不可状態とに切り替え可能なロック機構を有するスライダー部２を設けたファスナー部３を無塵服４の垂直方向中心線に対して傾斜状態に設けており、この無塵服４を脱衣する際には、スライダー部２のロックを解除し、スライダー部２を移動可能な状態にして、右手で無塵服４の中心部より左側の首元部１に設けた上止部５近傍の無塵服４の右半部６、具体的には無塵服４の襟部15を掴み、そのまま右方向に引張ることでファスナー部３が開放する、片手だけで容易にファスナー部３を開放することができる無塵服４である。
【００２２】
具体的には、ファスナー部３の上限となる上止部５を無塵服４の中心部より左側の首元部１に設け、ファスナー部３の下限となる下止部10を左太腿部11に設け、上止部５から下止部10にかけてのファスナー部３全体が無塵服４の左側前面に収まる配置としている。
【００２３】
また、上止部５近傍がファスナー部３を開放する際の無塵服４を引張る部位となり、無塵服４を右方向に引張った際に、引張り距離が長いほうが、よりスライダー部２を下方に移動させ、ファスナー部３を広く開放することができるので、上止部５を設ける位置はできるだけ左側に設けることが望ましい。
【００２４】
しかし、この上止部５を無塵服４の首元部１の左側に寄り過ぎたところに設けてしまうと、傾斜状態に設けたファスナー部３が下方で無塵服４の側面や背面に回ってしまい、例えば、この無塵服４を着用する際のファスナー部３を上げる動作の際に、ファスナー部３が背面まであると手が届き難いなど、かえって操作性が悪く、着脱し難い無塵服４となってしまう。
【００２５】
従って、ファスナー部３を開閉する際にスライダー部２を摘まみ移動する場合において、スライダー部２が無塵服４の側面や背面を通過しないファスナー部３の配置とすることが望ましい。
【００２６】
そこで、本実施例においては、上述したように、ファスナー部３は、上止部５は無塵服４の中心部より稍左側の首元部１に設け、この上止部５から下方に向かって左外側に傾斜状態に設け、無塵服４の腰部７をファスナー部３が通過する際に、無塵服４の腰部７側面よりやや中心部側を通過するように設け、腰部７より下方から左太腿部11に設けた下止部10までは稍中心側に傾斜状態となるように設けている。
【００２７】
このようにファスナー部３の下止部10を左太腿部11に設けたので、無塵服４を脱衣する際に、ファスナー部３が腰部７の下方まで開放されるので着用者の臀部までが容易に無塵服４から離脱でき、従って、脱衣作業が非常に容易となる。
【００２８】
また、本実施例のファスナー部３は、上止部５から胸部16付近と下止部10付近の傾斜角度が大きく、胸部16付近から腹部17付近にかけては徐々に傾斜角度が小さくなり、腰部７付近では略垂直に設けられた状態となる、無塵服４の左外側に凸となる略湾曲形状に設けている。
【００２９】
無塵服４の中心部より左側前面に前述した左外側に凸となる略湾曲形状のファスナー部３を設けることで、図２，図３に示すように、スライダー部２のロックを解除してスライダー部２を移動可能な状態として、着用者が右手で上止部５近傍の無塵服４の右半部６を掴み、そのまま右方向に引張るだけで、容易にスライダー部２が下方に移動し、ファスナー部３が開放されることとなる。
【００３０】
更に、本実施例を脱衣する場合について具体的に説明する。
【００３１】
まず、無塵服４の首元部１に設けた上止部５に位置しているスライダー部２のロックを解除しスライダー部２を移動可能な状態とする。
【００３２】
次に、上止部５近傍の無塵服４の右半部６を右手で掴み、掴んだままの状態で右手を右方向に引張る。
【００３３】
尚、本実施例は、上止部５近傍となる無塵服４の右半部６の襟部15に指を引っ掛け係止することができるタブ部18を設けており、このタブ部18に右手の指を引っ掛けて右方向に引張っても良い構成としている。
【００３４】
この上止部５近傍の無塵服４の右半部６を引張る作用により、図４に示すように、ファスナー部３の右側務歯部12が横倒状態になり、スライダー部２上方の右側務歯部12と左側務歯部13がＹ字状に開くことによって、スライダー部２上方の左右両側務歯部12，13がスライダー部２を下方に押下げる作用が働き、スライダー部２が胸部16と腹部17の間付近まで移動し、ファスナー部３が開放した状態となる。
【００３５】
次に、ファスナー部３の開放により分断された際の無塵服４の右半部６を右手で掴み直して、掴んだままの状態で再度右方向に引張る。
【００３６】
この２度目の引張り作用でスライダー部２は上述と同様な作用により、下方に押下げられて左太腿部11に設けた下止部10に到達し、ファスナー部３は全開状態となり、無塵服４を容易に脱衣できる状態となる。
【００３７】
また、ファスナー部３を左外側に凸となる略湾曲形状に設けたこと、即ち、無塵服４の上方側と下方側でファスナー部３の傾斜状態をスライダー部２が容易に移動できる為の最適傾斜角度としているので、スライダー部２が移動の途中で動きが鈍くなったり、引っ掛かったりすることがなく、ファスナー部３の上止部５から下止部10までの間をスムーズに移動することができることとなる。
【００３８】
また、本実施例では、ファスナー部３を被覆するファスナー被覆部19をファスナー部３の脇に設けている。
【００３９】
このファスナー被覆部19は、ファスナー部３が露出状態にあることでクリーンルーム内の装置などに接触して装置などに傷を付けたりファスナー部３から発塵したりすることがないように、ファスナー部３全体を被覆するように設けている。
【００４０】
また、無塵服４以外で、特に、女性が着用するワンピースタイプの場合には、ファスナー部３の露出によってファッション性が損なわれる可能性があるので、このファスナー部３を隠し、外観の見た目の良さを向上する効果もある。
【００４１】
また、スライダー部２は、図５に示すように、スライダー胴体部20にスライダー引手部21を回動自在に設けた構成とし、このスライダー胴体部20の内部にスライダー部２を移動可状態と移動不可状態とに切り替え可能なロック機構を設けている。
【００４２】
このロック機構は、スライダー引手部21がスイッチとなっていて、スライダー引手部21を上下方向に回動動作させることでオンオフされる機構となっている。
【００４３】
具体的には、スライダー引手部21の先端側を上側に向けた状態とすることでロックが解除した状態となり、スライダー部２はわずかな力で容易にファスナー部３を移動することができ、また、スライダー引手部21の先端側を下側に向けた状態とすることでロック状態となり、スライダー部２は移動不能な状態となる。
【００４４】
また、スライダー引手部21に長さ２ｃｍ〜３ｃｍ程度の引手カバー部22を被嵌し、着用者が摘まみ易いようにスライダー引手部21を大きくすると共に、スライダー引手部21とスライダー胴体部20の接触によって、スライダー部２の塗装が剥げたり、スライダー部２自体が削れたりすることによって発生するパーティクルを抑えている。
【００４５】
この引手カバー部22は、シリコン樹脂で形成していて、引手カバー部22自体からのパーティクルが発生し難い素材を採用している。
【００４６】
尚、引手カバー部22は、スライダー部２のスライダー胴体部20とスライダー引手部21の接触を防止し、引手カバー部22自体も発塵性が低く、その特性を発揮する素材のものであればシリコン樹脂に限らず適宜採用し得るものである。
【００４７】
尚、本発明は、本実施例に限られるものではなく、各構成要件の具体的構成は適宜設計し得るものである。
【符号の説明】
【００４８】
１  首元部
２  スライダー部
３  ファスナー部
４  衣服
５  上止部
６  右半部
７  腰部
８  上着部
９  ズボン部
10  下止部
11  左太腿部
16  胸部
17  腹部
18  タブ部
【図１】
0005409249.tif 000002
【図２】
0005409249.tif 000003
【図３】
0005409249.tif 000004
【図４】
0005409249.tif 000005
【図５】
0005409249.tif 000006